【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
絞りの開口径の変化に関する絞り値を変更可能な撮像装置であって、
撮像素子と、
少なくとも絞り値を変更することで露出制御を実行する露出制御手段と、
を有し、
前記露出制御手段は、被写体の輝度変化に応じて絞り値を変更することで露出制御を実行する場合に、前記撮像装置において設定可能な固有の絞り値に対して、実際の絞り値を離散的に変更し、
前記離散的に変更可能な前記実際の絞り値の数は、前記設定可能な固有の絞り値の数よりも少なく、
前記離散的に変更可能な前記実際の絞り値は、前記設定可能な固有の絞り値に含まれる値であることを特徴とする撮像装置。
【請求項２】
前記露出制御における絞り値の変更に関する絞り制御情報を生成する生成手段を有し、前記露出制御手段は、前記生成手段が生成した前記絞り制御情報に基づいて露出制御を実行し、
前記生成手段は、被写体の輝度変化に応じて前記露出制御が絞り値を変更することで露出制御を実行する場合に、前記設定可能な固有の絞り値に対して前記実際の絞り値が離散的に変化するように、前記絞り制御情報を生成することを特徴とする請求項１に記載の撮像装置。
【請求項３】
前記生成手段は、前記設定可能な固有の絞り値に対して前記実際の絞り値が離散的に変化するように、露出制御を開始する際の目標となる絞り値と、実際に設定可能な絞り値と、当該実際に変更可能な絞り値間の差分に関する情報を、前記絞り制御情報として生成することを特徴とする請求項２に記載の撮像装置。
【請求項４】
被写体の測光結果に基づく被写体の明るさが所定範囲に含まれるか否かを判定する第１の判定手段を有し、
前記生成手段は、前記第１の判定手段により前記被写体の明るさが前記所定範囲に含まれると判定された場合の前記絞り値の開放側の制限値が、前記第１の判定手段により前記被写体の明るさが前記所定範囲に含まれないと判定された場合の前記絞り値の開放側の制限値よりも小絞り側となるように、前記絞り制御情報を生成することを特徴とする請求項２又は３に記載の撮像装置。
【請求項５】
前記生成手段が生成した前記絞り制御情報に基づいて前記絞りの開口径を変化させたことに応じた輝度変動の量が所定量以上であるか否かを判定する第２の判定手段を有し、
前記露出制御手段は、前記第２の判定手段により前記輝度変動が前記所定量以上であると判定された場合に、当該輝度変動に対応させて蓄積時間と増幅量とを変更させることを特徴とする請求項２乃至４の何れか一項に記載の撮像装置。
【請求項６】
前記生成手段は、前記絞りを備えたレンズユニットに関するレンズ情報に基づいて前記絞り制御情報を生成することを特徴とする請求項２乃至５の何れか一項に記載の撮像装置。
【請求項７】
前記レンズ情報は、前記レンズユニットの識別値と、前記設定可能な固有の絞り値の上限値および下限値と、前記レンズユニットの焦点距離と、前記レンズユニットが備えたレンズが温度変化によってシフトするシフト量と、ＭＴＦ（Ｍｏｄｕｌａｔｉｏｎ  Ｔｒａｎｓｆｅｒ  Ｆｕｎｃｔｉｏｎ）特性と、所定の期間において絞り値を変更した回数と、のうちの少なくとも１つに関する情報を含むことを特徴とする請求項６に記載の撮像装置。
【請求項８】
前記レンズ情報は、前記レンズユニットがズームレンズであるか否かに関する情報を含み、
前記生成手段は、前記レンズユニットがズームレンズである場合の方が、前記レンズユニットがズームレンズではない場合よりも、実際に設定可能な絞り値が制限されるように前記絞り制御情報を生成することを特徴とする請求項６又は７に記載の撮像装置。
【請求項９】
前記生成手段は、前記レンズユニットがズームレンズである場合の方が、前記レンズユニットがズームレンズではない場合よりも、実際に設定可能な絞り値が小絞り側となるように制限されるように前記絞り制御情報を生成することを特徴とする請求項６又は７に記載の撮像装置。
【請求項１０】
前記生成手段は、被写体を撮像する際のシーンに関する情報に基づいて前記絞り制御情報を生成することを特徴とする請求項２乃至９の何れか一項に記載の撮像装置。
【請求項１１】
前記シーンに関する情報に基づいて被写体を撮像する際のシーンを判定するシーン判定手段を有し、
前記生成手段は、前記シーン判定手段の判定結果に基づいて前記絞り制御情報を生成することを特徴とする請求項１０に記載の撮像装置。
【請求項１２】
前記シーンに関する情報は、被写体の輝度情報や色情報、絞り値以外のパラメータを変化させることで被写体の輝度変化に応じた露出の追従が可能な露出範囲、所定期間における特定被写体のカウント数に関する情報のうち、少なくとも１つを含むことを特徴とする請求項１０又は１１に記載の撮像装置。
【請求項１３】
前記露出範囲は、被写体の輝度変化に応じて、絞り値を変更する頻度を抑制して、蓄積時間と増幅量とを優先的に変更することで露出制御を実行する露出に関する範囲であることを特徴とする請求項１２に記載の撮像装置。
【請求項１４】
開口径を変化させることで絞り値を変更可能な絞りを備えたレンズを接続できる撮像装置であって、
撮像素子と、
少なくとも絞り値を変更することで露出制御を実行する露出制御手段と、
前記撮像装置に接続された前記レンズから、当該レンズに関する情報を取得する情報取得手段と、
前記情報取得手段が取得した情報に基づいて、露出制御を開始する際の目標となる絞り値と、実際に設定可能な絞り値と、当該実際に変更可能な絞り値間の差分と、に関する絞り制御情報を生成する生成手段と、
を有し、
前記露出制御手段は、絞り値を変更して露出制御を実行する場合に、前記生成手段が生成した絞り制御情報に基づいて露出制御を実行することを特徴とする撮像装置。
【請求項１５】
撮像素子を備え、絞りの開口径の変化に関する絞り値を変更可能な撮像装置の制御方法であって、
少なくとも絞り値を変更することで露出制御を実行する露出制御工程を有し、
前記露出制御工程では、被写体の輝度変化に応じて絞り値を変更することで露出制御を実行する場合に、前記撮像装置で設定可能な固有の絞り値に対して、実際の絞り値を離散的に変更させ、
前記離散的に変更可能な前記実際の絞り値の数は、前記設定可能な固有の絞り値の数よりも少なく、
前記離散的に変更可能な前記実際の絞り値は、前記設定可能な固有の絞り値に含まれる値であることを特徴とする撮像装置の制御方法。
【請求項１６】
撮像素子を備え、開口径を変化させることで絞り値を変更可能な絞りを備えたレンズを接続できる撮像装置の制御方法であって、
少なくとも絞り値を変更することで露出制御を実行する露出制御工程と、
前記撮像装置に接続された前記レンズから、当該レンズに関する情報を取得する情報取得工程と、
前記情報取得工程で取得された情報に基づいて、露出制御を開始する際の目標となる絞り値と、実際に設定可能な絞り値と、当該実際に変更可能な絞り値間の差分と、に関する絞り制御情報を生成する生成工程と、
を有し、
前記露出制御工程では、絞り値を変更して露出制御を実行する場合に、前記生成工程で生成された絞り制御情報に基づいて露出制御を実行することを特徴とする撮像装置の制御方法。
【請求項１７】
請求項１５に又は請求項１６に記載の撮像装置の制御方法をコンピュータで実行させるためのコンピュータで読み取り可能なプログラム。
【手続補正２】
【補正対象書類名】明細書
【補正対象項目名】０００９
【補正方法】変更
【補正の内容】
【０００９】
上記目的を達成するための本発明の撮像装置は、絞りの開口径の変化に関する絞り値を変更可能な撮像装置であって、撮像素子と、少なくとも絞り値を変更することで露出制御を実行する露出制御手段と、を有し、前記露出制御手段は、被写体の輝度変化に応じて絞り値を変更することで露出制御を実行する場合に、前記撮像装置において設定可能な固有の絞り値に対して、実際の絞り値を離散的に変更し、前記離散的に変更可能な前記実際の絞り値の数は、前記設定可能な固有の絞り値の数よりも少なく、前記離散的に変更可能な前記実際の絞り値は、前記設定可能な固有の絞り値に含まれる値であることを特徴とする。